【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
単一化合物を含む多官能性連鎖シャトリング剤であって、少なくとも１本のオレフィン含有ポリメリル鎖が、２個以上の触媒部位を持つオレフィン重合触媒の２個以上の触媒部位の間または２個以上のオレフィン重合触媒の間を往復できるような形で機能でき、かつ、独立に以下の：（ａ）非オレフィン重合反応を、該多官能性連鎖シャトリング剤によって開始できるか；（ｂ）該多官能性連鎖シャトリング剤の官能基が、連鎖シャトリング中に保護基で保護され、その後オレフィン含有ポリメリル鎖内に組み込まれることを特徴とできるか；または（ｃ）オレフィン含有ポリメリル鎖に官能基が組み込まれた後に、該官能基によって非オレフィン重合反応を開始できるか、のいずれかを特徴とする前記多官能性連鎖シャトリング剤。
【請求項２】
連鎖シャトリングが可能である1もしくは複数個の部分、保護または重合開始が可能である1もしくは複数個の部分、および少なくとも１個の多価連結基を持つ化合物を含む多官能性連鎖シャトリング剤であって；該連鎖シャトリング部分が、保護／重合開始部分とは異なり、各鎖シャトリング部分と重合開始部分のそれぞれが、独立に金属カチオンを含んでなり、そして該金属カチオンの各金属が、独立にスズであるか、または元素周期表の第２、１２、および１３族のいずれかのうちの金属であり；それぞれの多価連結基が、独立に２〜２０個の炭素原子；０、１、または２個の炭素−炭素二重結合；および１〜４個のヘテロ原子を含んでなり、そして各ヘテロ原子が、独立に酸素原子、硫黄原子、水素置換された窒素原子、ヒドロカルビル置換された窒素原子、水素置換されたリン原子、またはヒドロカルビル置換されたリン原子のいずれかであり；連鎖シャトリング部分の各金属カチオンが、独立に同じ多価連結基の異なった炭素原子に、または異なった多価連結基の炭素原子に結合し、そして重合開始部分の各金属カチオンが、独立に同じ多価連結基の異なったヘテロ原子に、または異なった多価連結基のヘテロ原子に結合し、その結果、該金属カチオンが少なくとも１個の多価連結基によって互いに間隔を置いている前記多官能性連鎖シャトリング剤。
【請求項３】
以下の式（Ｉ）：
【化１】
2013501093.tif 000001
｛式中：
ｍは、１、２、３、または４の整数であり；ｒは、１または２の整数であり；ｔは、１または２の整数であり；ｎ、ｐ、ｑ、およびｓのそれぞれは、１の整数であり、そしてｒが１であるとき、各ＲLは、独立に（Ｃ1−Ｃ19）アルキレンもしくは（Ｃ2−Ｃ19）アルケニレンであるか；または（ａ）ｒが１であり、かつ、ｔが２であるか、もしくは（ｂ）ｒが２であり、かつ、ｔが１であるか、もしくは（ｃ）ｍとｓのそれぞれが２であり、かつ、ｒとｔのそれぞれが１であるとき、各ＲLは、独立に（Ｃ3−Ｃ19）アルカンもしくは（Ｃ3−Ｃ19）アルケンの三価ラジカルであるか；あるいは
ｎは、１、２、または３の整数であり；ｓは、１または２の整数であり；ｐは、１または２の整数であり；ｍ、ｑ、ｒ、およびｔのそれぞれは、１の整数であり；そしてｓとｐがそれぞれ１であるとき、各ＲLは、独立に（Ｃ1−Ｃ19）アルキレンもしくは（Ｃ2−Ｃ19）アルケニレンであるか；または（ａ）ｓが１であり、かつ、ｐが２であるか、もしくは（ｂ）ｓが２であり、かつ、ｐが１であるとき、各ＲLは、独立に（Ｃ3−Ｃ19）アルカンもしくは（Ｃ3−Ｃ19）アルケンの三価ラジカルであるか；あるいは
ｑは、２または３の整数であり；ｍ、ｎ、ｐ、ｒ、ｓ、およびｔのそれぞれが、１の整数であり；そして各ＲLは、独立に（Ｃ1−Ｃ19）アルキレンまたは（Ｃ1−Ｃ19）アルケニレンであるか；あるいは
ｍ、ｎ、およびｑのそれぞれは、１の整数であり；ｐ、ｒ、ｓ、およびｔのそれぞれは、１または２の整数であり；そしてＲLは、（Ｃ3−Ｃ19）アルカンもしくは（Ｃ3−Ｃ19））アルケンの４価ラジカルであり、ここで、ｒとｔの一方が１であり、ｒとｔのもう一方が２であり、かつ、ｐとｓの一方が１であり、ｐとｓのもう一方が２であり；
ｙは、０、１、または２の整数であり、かつ、［ｙ＋（ｎ×ｑ×ｒ）の乗法の結果］の合計がＭ1の形式的酸化状態と等しくなるように選ばれ、すなわち、（Ｍ1の形式的酸化状態）＝ｙ＋（ｎ・ｑ・ｒ）；
ｚは、０、１、２、または３の整数であり、かつ、［ｚ＋（ｍ×ｑ×ｓ）の乗法の結果］の合計がＭ1の形式的酸化状態と等しくなるように選ばれ、すなわち、（Ｍ1の形式的酸化状態）＝ｚ＋（ｍ・ｑ・ｓ）；
各Ｘは、独立にＯ、Ｓ、Ｎ（Ｈ）、Ｎ（（Ｃ1−Ｃ20）ヒドロカルビル）、Ｐ（Ｈ）、Ｐ（（Ｃ1−Ｃ20）ヒドロカルビル）であり；
各Ｍ1は、元素周期表の第２、１２、または１３族金属であるが、第１３族金属が＋３の形式的酸化状態であり、第２または１２族金属が＋２の形式的酸化状態であり、；
各Ｍ2は、スズ、または元素周期表の第１２または１３族金属であるが、第１２族金属が＋２の形式的酸化状態であり、第１３族金属が＋３の形式的酸化状態であり、そしてスズが＋２または＋４の形式的酸化状態であり；
各Ｒ1は、独立に（Ｃ1−Ｃ20）ヒドロカルビルであるか；またはｙが２であるとき、１つのＲ1は（Ｃ1−Ｃ20）ヒドロカルビルであり、かつ、１つのＲ1はＲ3Ｎ（Ｈ）−、（Ｒ3）2Ｎ−、Ｒ3Ｐ（Ｈ）−、（Ｒ3）2Ｐ−、Ｒ3Ｓ−、または、Ｒ3Ｏ−であるか、または２つのＲ1は一緒になって（Ｃ2−Ｃ20）ヒドロカルビレンを形成し；かつ
各Ｒ2は、独立に水素、（Ｃ1−Ｃ20）ヒドロカルビルもしくは−Ｄ−（Ｃ1−Ｃ20）ヒドロカルビルであるか；またはｚが２または３であるとき、２つのＲ2は一緒になって（Ｃ2−Ｃ20）ヒドロカルビレンを形成し；
各Ｄは、−Ｄ−（Ｃ1−Ｃ20）ヒドロカルビルに示されているように、独立に−Ｃ（＝Ｏ）−、−Ｃ（＝Ｏ）−Ｏ−、Ｏ−Ｃ（＝Ｏ）−、−Ｃ（＝Ｏ）−Ｎ（（Ｃ1−Ｃ6）ヒドロカルビル）−、−Ｎ（（Ｃ1−Ｃ6）ヒドロカルビル）−Ｃ（＝Ｏ）−、−Ｓ（＝Ｏ）−、−Ｓ（＝Ｏ）2−、またはＳｉ（（Ｃ1−Ｃ20）ヒドロカルビル）2−であり；
各Ｒ3は、独立に（Ｃ1−Ｃ20）ヒドロカルビルまたは（（Ｃ1−Ｃ20）ヒドロカルビル）3Ｓｉ−であり；
前述の（Ｃ1−Ｃ19）アルキレン、（Ｃ2−Ｃ19）アルケニレン、（Ｃ3−Ｃ19）アルカン、（Ｃ3−Ｃ19）アルケン、（Ｃ1−Ｃ20）ヒドロカルビル、および（Ｃ2−Ｃ20）ヒドロカルビレンのそれぞれは同じかもしくは異なり、そして独立に置換されていないか、または1もしくは複数個の置換基ＲSで置換されており；そして
各ＲSは、独立にハロ、ポリフルオロ、ペルフルオロ、非置換（Ｃ1−Ｃ18）アルキル、または非置換（Ｃ1−Ｃ9）ヘテロアリールである。｝で表される化合物またはその交換生成物である、請求項１または２に記載の多官能性連鎖シャトリング剤。
【請求項４】
以下の式（ＩＡ）：
【化２】
2013501093.tif 000002
｛式中：
ｍは、１、２、３、または４の整数であり、ｎとｐのそれぞれは、１の整数であり、そして各ＲLは、独立に（Ｃ1−Ｃ19）アルキレンまたは（Ｃ2−Ｃ19）アルケニレンであるか；または
ｎは、１、２、または３の整数であり、ｍとｐのそれぞれは、１の整数であり、そして各ＲLは、独立に（Ｃ1−Ｃ19）アルキレンまたは（Ｃ2−Ｃ19）アルケニレンであるか；または
ｐは、２の整数であり、ｍとｎのそれぞれは、１の整数であり、そしてＲLは、（Ｃ3−Ｃ19）アルカンの三価ラジカルまたは（Ｃ3−Ｃ19）アルケンの三価ラジカルであり、
ｙは、０、１、または２の整数であり、かつ、ｙ＋ｎの合計がＭ1の形式的酸化状態と等しくなるように選ばれ；
ｚは、０、１、２、または３の整数であり、かつ、ｚ＋ｍの合計がＭ2の形式的酸化状態と等しくなるように選ばれ；そして
Ｘ、Ｍ1、Ｍ2、Ｒ1、およびＲ2は、式（Ｉ）について先に規定されたとおりのものであるか；または
ｍ、ｎ、およびｐのそれぞれは、１であり、（Ｒ1）yＭ1は、不存在であり、そしてＭ2、Ｒ2、およびｚは、式（Ｉ）について先に規定されたとおりのものである。｝で表される化合物またはその交換生成物である、請求項３に記載の多官能性連鎖シャトリング剤。
【請求項５】
以下のステップ：
（ヒドロキシ−、チオール−、ヒドロカルビルアミノ−、アミノ−、ヒドロカルビルホスフィノ−、またはホスフィノ−およびビニル含有多価基を、アルキルペルヒドロカルビル金属と接触させて、有機金属中間体、すなわちヒドロカルビル金属ビニル−アルコキシド、ヒドロカルビル金属ビニル−スルフィド、ヒドロカルビル金属ビニル−（ヒドロカルビル）アミン、ヒドロカルビル金属ビニル−アミン、ヒドロカルビル金属ビニル−（ヒドロカルビル）ホスフィン、またはヒドロカルビル金属ビニル−ホスフィンを調製し；そして
該有機金属中間体をヒドロカルビル金属モノヒドリドに接触させ、それにより、多官能性連鎖シャトリング剤を製造する、
を含み、ここで、各金属が、独立にスズ、または元素周期表の第２、１２、および１３族のいずれかの金属の陽イオンである、請求項１または２に記載の多官能性連鎖シャトリング剤の製造方法。
【請求項６】
以下のステップ：
請求項１〜４のいずれか１項に記載の多官能性連鎖シャトリング剤、本来のオレフィン重合触媒、および本来の共触媒を含んでなる要素を一緒に接触させる、
を含み、ここで、その接触を触媒調製条件下で実施することで、それにより多官能性組成物を製造し、該多官能性組成物が多官能性連鎖シャトリング剤とオレフィン重合触媒として機能できる、多官能性組成物の製造方法。
【請求項７】
以下のステップ：
1もしくは複数個のオレフィン重合触媒を含んでなる反応物と少なくとも１個のオレフィン単量体を一緒に接触させる、
を含み、ここで、該1もしくは複数個のオレフィン重合触媒が請求項６に記載の方法で製造された多官能性組成物を含み、かつ、該接触ステップがオレフィン重合生成条件下で実施され、それにより（ポリオレフィン−ポリラジカル）含有多官能性連鎖シャトリング剤鎖を製造し、該（ポリオレフィン−ポリラジカル）含有多官能性連鎖シャトリング剤が前記反応物の反応生成物になる、（ポリオレフィン−ポリラジカル）含有多官能性連鎖シャトリング剤の製造方法。
【請求項８】
請求項７に記載の方法によって製造された（ポリオレフィン−ポリラジカル）含有多官能性連鎖シャトリング剤を含む（ポリオレフィン−ポリラジカル）含有多官能性連鎖シャトリング剤。
【請求項９】
以下のステップ：
請求項８に記載の（ポリオレフィン−ポリラジカル）含有多官能性連鎖シャトリング剤のポリオレフィン−ポリラジカルを末端官能化させ、それによりテレケリック・ポリオレフィンを製造する、
を含み、ここで、該テレケリック・ポリオレフィンは、間隔を置いた第１と第２の末端官能基を持つと特徴づけでき、そして該方法では連鎖シャトリング部分からの第１の末端官能基と重合開始または保護部分からの第２の末端官能基を得、該部分のそれぞれは（ポリオレフィン−ポリラジカル）含有多官能性連鎖シャトリング剤のものであるが、該第１の末端官能基と第２の末端官能基は構造的に互い異なっている、テレケリック・ポリオレフィンの製造方法。
【請求項１０】
請求項９に記載のテレケリック・ポリオレフィンを含む電池用セパレーター。